(57)【特許請求の範囲】
【請求項１】
リールシートのボディが貫通し、上記ボディの長手方向における移動をガイドするために上記ボディの外周面に嵌められる一対の第１ガイド突起と第２ガイド突起を備え、リールの取付脚を上記ボディに圧迫して固定するフード部と、
上記ボディを中心として回転可能に上記フード部に連結され、内周面で上記ボディの外周面とネジ結合するナット部と、を含み、
上記一対の第１ガイド突起は上記フード部の中心軸上側で上記フード部の内周面から突出し、上記第２ガイド突起は上記フード部の下端で上記フード部の内周面から突出し、
上記フード部の長手方向における一部分の横断面において、上記長手方向における一部分の半径方向の厚さ（Ｔ１）は上記第１ガイド突起から上記第２ガイド突起へ行くほど減少する
リールシート用可動フード。
【請求項２】
上記長手方向における一部分の横断面において、上記第１ガイド突起の縦方向の厚さ（Ｔ２）は上記第２ガイド突起の横方向の厚さ（Ｔ３）より大きく、上記第２ガイド突起の横方向の厚さ（Ｔ３）は上記フード部の下端における縦方向の厚さ（Ｔ４）より大きい、
請求項１に記載のリールシート用可動フード。
【請求項３】
上記長手方向における一部分の横断面において、上記フード部の下端における縦方向の厚さ（Ｔ４）は上記第１ガイド突起の下端における上記フード部の横方向の厚さ（Ｔ５）より小さい、
請求項２に記載のリールシート用可動フード。
【請求項４】
上記長手方向における一部分の横断面において、上記フード部の下端における縦方向の厚さ（Ｔ４）は上記第１ガイド突起の下端における上記フード部の横方向の厚さ（Ｔ５）の３５％〜８０％である、
請求項３に記載のリールシート用可動フード。
【請求項５】
上記フード部の縦断面において、上記フード部の下半部の縦方向の厚さ（Ｔ６）は上記フード部の後端へ行くほど減少する、
請求項１に記載のリールシート用可動フード。
【請求項６】
リールの一対の取付脚が安着する安着部を上側に備え、一端部の外周面に雄ネジを備え、長手方向に釣竿の一部が貫通するボアを備えるボディと、
上記ボディの一端部に位置し上記一対の取付脚のうちの１つを上記ボディの安着部に固定する請求項１〜請求項５のうちのいずれか１項によるリールシート用可動フードと、
上記ボディの他端部に位置し上記一対の取付脚のうちのもう１つを上記ボディの安着部に固定する固定フードを含み、
上記可動フードのナット部はその内周面で上記雄ネジとネジ結合する、
リールシート。
【請求項７】
請求項１〜請求項５のいずれか１項よるリールシート用可動フードを備える釣竿。
【請求項８】
請求項６によるリールシートを備える釣竿。
【発明の詳細な説明】
【技術分野】
【０００１】
本発明はリールを釣竿に装着するために釣竿に取り付けられるリールシート及びリールの取付脚を固定するためにリールシートに用いられる可動フードに関するものである。また、本発明は、このような可動フードまたはリールシートを備える釣竿に関するものである。
【背景技術】
【０００２】
スピニングリール、ベイトキャスティングリールのような釣竿用リールはリールシートによって釣竿に装着される。リールシートの例として、釣竿の外面に取り付けられる平板型リールシートまたは釣竿が貫通する円筒状リールシートがある。円筒状のリールシートは、例えば、リールの取付脚をリールシートのボディに固定するための固定フードと可動フードを有し、可動フードはリールシートのボディに沿って移動可能なリング形状を有する。リールの取付脚のうちの１つを固定フードによりリールシートのボディに固定し、可動フードによりリールの取付脚のうちのもう１つをリールシートのボディに固定し、リールはリールシートに装着される。【０００３】
リールが装着された釣竿を握るとき、使用者はリールシートを包み込み、使用者の指は固定フードや可動フードの下側外面とボディの下側外面に触れるようになる。可動フードとボディの間には段差（リールシートのボディの外面と可動フードの外面の間の高低差）が存在するので、使用者は自身の指に突起物を握っているような異物感を覚える可能性があり、安定したグリップ感で釣竿を握ることができない。異物感を減らしてグリップ感を向上させたリールシートが当該分野で求められている。
【先行技術文献】
【特許文献】
【０００４】
【特許文献１】特許第３０５３７６７号公報
【特許文献２】意匠登録第１４０９０７２号公報
【発明の概要】
【発明が解決しようとする課題】
【０００５】
特許第３０５３７６７号公報は、図１に示すように、リールシートのボディと可動フードとの間の段差を減少させたリールシート１０を開示する。この特許文献によれば、可動フード１３とボディ１１との間の段差を縮めるために、円筒状の金属部材が可動フード１３にかぶせられる。しかし、金属部材を可動フード１３に用いると、リールシート１０の重量が重くなり、多様な形状の設計を保障できない。【０００６】
また、意匠登録第１４０９０７２号公報は、図２Ａ及び図２Ｂに示すように、樹脂材料からなるリールシートの可動フードを開示する。可動フードを樹脂材料で形成すると、可動フードの強度を確保するために可動フードの厚さを厚くしなければならないが、これによりかえってリールシートのボディと可動フードとの間の段差が大きくなる。【０００７】
本発明はこのような従来技術の問題点を解決するために創案されたものであって、軽量で多様な形状の設計を可能にする樹脂材料で形成され、リールの取付脚を固定する部位の反対側の部位の厚さが薄くてリールシートのボディに対する段差を減らした可動フードを提供することを目的とする。【０００８】
また、本発明はリールの取付脚を固定する部位の反対側の部位の厚さが薄く、このような部位の強度が向上した可動フードを提供することを目的とする。【０００９】
また、本発明は前述した可動フードを備えてグリップ感が良好なリールシートを提供することを目的とする。【００１０】
また、本発明は前述した可動フードまたはリールシートを備える釣竿を提供することを目的とする。
【課題を解決するための手段】
【００１１】
本発明の一側面によれば、釣竿にリールを装着するためのリールシートに用いられる可動フードが提供される。例示的実施例において、リールシート用可動フードは、リールシートのボディが貫通しリールの取付脚をリールシートのボディに圧迫して固定するフード部と、上記ボディを中心として回転可能に上記フード部に連結され、内周面で上記ボディの外周面とネジ結合するナット部を備える。上記フード部は上記ボディの長手方向における移動をガイドするために上記ボディの外周面に嵌められる一対の第１ガイド突起と第２ガイド突起を備え、上記一対の第１ガイド突起は上記フード部の中心軸の上側で上記フード部の内周面から突出し、上記第２ガイド突起は上記フード部の下端で上記フード部の内周面から突出する。上記フード部の長手方向における一部分の横断面において、上記長手方向における一部分の半径方向の厚さは、上記第１ガイド突起から上記第２ガイド突起へ行くほど減少する。【００１２】
実施例において、上記長手方向における一部分の横断面において、上記第１ガイド突起の縦方向の厚さは上記第２ガイド突起の横方向の厚さより大きく、上記第２ガイド突起の横方向の厚さは上記フード部の下端における縦方向の厚さより大きい。また、上記長手方向における一部分の横断面において、上記フード部の下端における縦方向の厚さは上記第１ガイド突起の下端における上記フード部の横方向の厚さより小さい。また、一実施例において、上記長手方向における一部分の横断面において、上記フード部の下端における縦方向の厚さは上記第１ガイド突起の下端における上記フード部の横方向の厚さの３５％〜８０％である。【００１３】
実施例において、上記フード部の縦断面において、上記フード部の下半部の縦方向の厚さは、上記フード部の後端へ行くほど減少する。【００１４】
本発明の他の側面はリールシートに関連する。例示的実施例において、リールシートは、ボディと、固定フードと、前述した実施例による可動フードを備える。上記ボディは、リールの一対の取付脚が安着する安着部を上側に備え、一端部の外周面に雄ネジを備え、長手方向に釣竿の一部が貫通するボアを備える。上記可動フードは上記一端部に位置し上記一対の取付脚のうちの１つを上記ボディの安着部に固定して、上記可動フードのナット部はその内周面で上記雄ネジとネジ結合する。上記固定フードは上記ボディの他端部に位置し上記一対の取付脚のうちのもう１つを上記ボディの安着部に固定する。【００１５】
本発明の他の側面は釣竿に関連する。実施例の釣竿は前述したリールシート用可動フードまたは前述したリールシートを備える。
【発明の効果】
【００１６】
実施例によるリールシートの可動フードによれば、フード部の下半部の半径方向の厚さがフード部の下端へ行くほど減少してフード部の下端における縦方向の厚さが最も小さく、フード部はリールの取付脚からの反力によってフード部に加えられる上向きの力を第１ガイド突起及び第２ガイド突起に負荷がかかるようにして分散させる。従って、可動フードのフード部は下半部の厚さを薄くしながらも強度を向上させることができる。また、厚さが減少するフード部の下半部が撓んでリールシートのボディに接触するようになるので、フード部は上向きの力をさらに分散させながらボディに対する段差をさらに減少させて、グリップ感およびホールド感が良好なリールシートを達成する。また、フード部の下半部の撓みに伴う弾性により、フード部はリールの取付脚をガタツキなしにボディに固定できる。
【図面の簡単な説明】
【００１７】
【図１】従来のリールシートを示す側面図である。
【図２Ａ】従来の可動フードを示す側面図である。
【図２Ｂ】図２Ａに示す可動フードの縦断面図である。
【図３】本発明の一実施例によるリールシートが釣竿に取り付けられその上にリールが装着されたものを示す側面図である。
【図４】本発明の一実施例によるリールシートを示す斜視図である。
【図５】図４に示すリールシートのボディの側面図である。
【図６】図４に示すリールシートのボディの縦断面図である。
【図７】図４に示す可動フードの側面図である。
【図８】図４に示す可動フードの平面図である。
【図９】図８のＩＸ−ＩＸ線に沿った断面図である。
【図１０】図９におけるＡ部分の拡大図である。
【図１１】図９と類似の断面図であって、可動フードのフード部とナット部を分離して示す。
【図１２】図８のＸＩＩ−ＸＩＩ線に沿った断面図である。
【図１３】図１２におけるＢ部分の拡大図である。
【図１４】図４のＸＩＶ−ＸＩＶ線に沿った断面図である。
【図１５】図１４と類似の断面図であって、可動フードのフード部にかかる上向きの力が分散するのを例示する。
【図１６】図４のＸＶＩ−ＸＶＩ線に沿った断面図である。
【図１７】図１６と類似する断面図であって、可動フードのフード部に掛かる上向きの力が分散し可動フードの下端とボディの下端との間の段差が減少することを例示する。
【発明を実施するための形態】
【００１８】
図３〜図１７を参照して、本発明によるリールシート用可動フードの実施例とこれを備えるリールシートの実施例を説明する。図３〜図１７において、同一の参照番号は同一または対応する要素または部品を指示する。
【００１９】
本明細書で用いられた「前方」、「前」などの方向指示語は、実施例によるリールシートをいわゆるダウンロック（ｄｏｗｎ  ｌｏｃｋ）の形態で釣竿に取り付ける場合に釣竿の先端側に向かう方向（例えば、図３で矢印（Ｔ）で指示する方向）を意味し、「後方」、「後」などの方向指示語は、実施例によるリールシートをいわゆるダウンロック（ｄｏｗｎ  ｌｏｃｋ）の形態で釣竿に取り付ける場合に釣竿の後端側に向かう方向（例えば、図３で矢印（Ｂ）で指示する方向）を意味する。また、本明細書で用いられた「上方」、「上」などの方向指示語はリールシートに対してリールが装着される方向を基準とし、「下方」、「下」などの方向指示語はその反対方向を意味する。
【００２０】
図３に示す一実施例によるリールシート１００は、ベイトキャスティングリール（以下、簡単に「リール」という）３００を釣竿２００に装着するのに用いられる。リールシート１００に装着され得るリールは図３に示すリール３００に限定されるわけではなく、例えばスピニングリールのような他のリールを含むことができる。
【００２１】
リール３００は、釣り糸が巻かれるスプール、スプールを回転させるためのハンドルなどを備え、リールシート１００への取付のための一対の取付脚３１０を有する。一対の取付脚３１０は略直線状に延びる。実施例において、一対の取付脚３１０は前方取付脚３１０Ｆと後方取付脚３１０Ｒからなる。前方取付脚３１０Ｆはその先端へ行くほど横断面積が縮小する先端部を有し、後方取付脚３１０Ｒはその後端へ行くほど横断面積が縮小する後端部を有する。即ち、前方取付脚３１０Ｆと後方取付脚３１０Ｒはその先端または後端へ行くほど高さが低くなるように形成されており、従って、前方取付脚３１０Ｆはその先端部の上側に先端に傾いた斜面３１１Ｆを有し、後方取付脚３１０Ｒはその後端部の上側に後端に傾いた斜面３１１Ｒを有する。前方取付脚３１０Ｆの先端部は後述するリールシートの前方挿入空洞に挿入され、後方取付脚３１０Ｒの後端部は後述するリールシートの後方挿入空洞に挿入される。
【００２２】
図３及び図４を参照すると、リールシート１００は、ボディ１１０と、固定フード１２０と、可動フード１３０を備える。可動フード１３０と固定フード１２０はボディ１１０の長手方向で対向する各端部に位置する。実施例において、可動フード１３０はボディ１１０の一端部（ボディ１１０の長手方向における前端部）に位置して、ボディ１１０の長手方向に移動可能である。可動フード１３０はリール３００の一対の取付脚３１０のうちの１つ（実施例では前方取付脚３１０Ｆ）をボディ１１０に固定する。固定フード１２０は可動フード１３０の反対側にあるボディ１１０の他端部（ボディ１１０の長手方向における後端部）に位置して、リール３００の一対の取付脚３１０のうちのもう１つ（実施例では後方取付脚３１０Ｒ）をボディ１１０に固定する。他の実施例として、固定フード１２０がボディ１１０の前端部に位置することもでき、可動フード１３０がボディ１１０の後端部に位置することもできる。
【００２３】
リールシート１００のボディ１１０、固定フード１２０、可動フード１３０は樹脂材料または金属材料からなることができる。この実施例において、リールシート１００の可動フード１３０は樹脂材料からなっている。
【００２４】
図３〜図６および図１４を参照して、リールシート１００のボディ１１０について説明する。リールシート１００のボディ１１０は、長手方向にボア１１１が貫通して延びる略円筒状を有する。ボディ１１０のボア１１１には釣竿２００のブランク２１０が嵌められ、ボディ１１０を貫通する。
【００２５】
ボディ１１０はリール３００の取付脚３１０を安着させるための安着部を有する。この実施例において、上記安着部はボディ１１０の上側に位置しボディ１１０の長手方向に離隔された一対の平らな安着面を含む。即ち、上記安着部はボディ１１０の前方に位置する前方安着面１１２Ｆとボディ１１０の裏側に位置する後方安着面１１２Ｒを含む。前方安着面１１２Ｆ上には前方取付脚３１０Ｆの下面が安着し、後方安着面１１２Ｒ上には後方取付脚３１０Ｒの下面が安着する。
【００２６】
ボディ１１０はその前端部に前端からほぼ前方安着面１１２Ｆの前端までボディ１１０の外周面に沿って形成された雄ネジ１１３を有する。雄ネジ１１３は後述する可動フード１３０のナット部１３０Ｆに形成された雌ネジとネジ結合する。
【００２７】
また、ボディ１１０はその外周面に可動フード１３０のボディ１１０の長手方向における移動をガイドまたは案内するための一対の第１ガイド溝１１４Ｌ，１１４Ｒと第２ガイド溝１１５を有する。一対の第１ガイド溝１１４Ｌ，１１４Ｒはボディ１１０の中心軸（ＣＡ）の上側で互いに対向して、ボディ１１０の長手方向に沿ってボディ１１０の前端から雄ネジ１１３を通過して所定の長さに延びる。第２ガイド溝１１５はボディ１１０の下端中央に位置して、ボディ１１０の長手方向に沿ってボディ１１０の前端から雄ネジ１１３を通過して所定の長さに延びる。
【００２８】
また、ボディ１１０は安着部１１２の反対側から下方へ突出するレバー１１６を有する。レバー１１６はボディ１１０と一体になっており、使用者がリールシート１１０を握るとき使用者の指が掛かるように機能する。例えば、図３に示すように、使用者の手の小指がレバー１１６の前方に位置するように、使用者はリールシート１００を握ることができる。
【００２９】
また、ボディ１１０はその上側に前方安着面１１２Ｆと後方安着面１１２Ｒとの間にリールシート１００を側面から見るとき丸く窪んだ上側リセス１１７を有する。上側リセス１１７は前端で前方安着面１１２Ｆとつながり後端で後方安着面１１２Ｒとつながる。上側リセス１１７はボア１１１の内側に窪むように形成され、上側リセス１１７内にはボア１１１と通じる楕円形の開口１１８が形成される。また、ボディ１１０は下側にレバー１１６の前方に位置する下側リセス１１９を有する。下側リセス１１９はボディ１１０の後端へ行くほどボディ１１０の内側に徐々に窪むように形成されている。図３に示すように、使用者がリールシート１００を握るとき、薬指および小指が下側リセス１１９に入るようになるので、使用者は安定したグリップ感でリールシート１００を握ることができる。
【００３０】
他の実施例におけるリールシートのボディは前述したレバー１１６、上側リセス１１７および下側リセス１１９のうち少なくとも１つを備えるか、あるいはこれらを備えなくてもよい。
【００３１】
また、リールシート１００はボディ１１０の後端に相補的に結合するグリップ部１４０を備える。グリップ部１４０はボディ１１０のボア１１１と同軸を有する円筒状を有し、その中央のボアには釣竿２００のブランク２１０が押し込まれる。
【００３２】
固定フード１２０はボディ１１０の後方上側でボディ１１０と一体になっている。固定フード１２０は後方安着面１１２Ｒを覆うように形成されたカバー部１２２を備える。カバー部１２２の内側形状はボディ１１０の後端へ行くほど高さが低くなる形状を取る。従って、固定フード１２０とボディ１１０の後方安着面１１２Ｒとの間には、リール３００の後方取付脚３１０Ｒが挿入される後方挿入空洞１２１Ｒが限定される。後方挿入空洞１２１Ｒの横断面の形状は略円弧状であり、ボディ１１０の後端へ行くほどその上下の幅が縮小する。従って、固定フード１２０のカバー部１２２の内面は後方取付脚３１０Ｒの後端部の斜面３１１Ｒと接触する。他の実施例として、固定フード１２０は別個の部品で製造されてボディ１１０に取り付けられることもできる。
【００３３】
図３〜図１７を参照して、リールシート１００に用いられる可動フード１３０を説明する。
【００３４】
可動フード１３０はリング状に形成されて、リールシート１００のボディ１１０が可動フード１３０に嵌められて可動フード１３０を貫通する。可動フード１３０は、ボディ１１０の長手方向に沿って直線に移動可能であるもののボディ１１０の周囲方向では移動しない可動部分と、上記可動部分にボディ１１０を中心として回転可能に連結され、上記可動部分をボディ１１０の長手方向に沿ってボディ１１０に対して押したり引いたりするための回転部分を含む。上記回転部分が上記可動部分をボディ１１０の長手方向に押す力により、上記可動部分がリール３００の前方取付脚３１０Ｆをボディ１１０に圧迫してボディ１１０に固定する。この実施例において、可動フード１３０の上記可動部分は可動フード１３０の後方に位置するフード部１３０Ｒであり、可動フード１３０の上記回転部分は可動フード１３０の前方に位置するナット部１３０Ｆである。
【００３５】
ナット部１３０Ｆとフード部１３０Ｒは略リング状からなっており、その中にリールシート１００のボディ１１０が貫通しボディ１１０の中心軸（ＣＡ）と同軸からなるボア１３１を有する。ナット部１３０Ｆはその内周面でボディ１１０とネジ結合して、ボディ１１０に沿ってネジ運動によって前方または後方へ移動し、フード部１３０Ｒはナット部１３０Ｆの上記前方または後方への移動によって、固定フード１２０側に押されたり固定フード１２０から遠くなるように引っ張られる。使用者が釣竿２００を握るとき、図３に示すように、フード部１３０Ｒの下半部に使用者の人さし指または中指が接触する。
【００３６】
ナット部１３０Ｆは後端へ行くほど外径が大きくなる形状、即ち前方に向かてテーパーとなる形状を有する。ナット部１３０Ｆはその内周面にボディ１１０の雄ネジ１１３とネジ結合する雌ネジ１３２を有する。ナット部１３０Ｆは後端側内周面に、フード部１３０Ｒとの連結のための係止溝１３３Ｆを有する。係止溝１３３Ｆはナット部１３０Ｆの内周面の円周方向に形成されている。また、フード部１３０Ｒは前端にナット部１３０Ｆの係止溝１３３Ｆに噛み合うフック状の係止突起１３３Ｒを有する。係止突起１３３Ｒはフード部１３０Ｒの前端でその円周方向に断続的にまたは連続して延びる。他の実施例として、ナット部１３０Ｆはその後端に上記係止突起を有してもよく、フード部１３０Ｒはその前端に上記係止溝を有してもよい。
【００３７】
ナット部１３０Ｆの係止溝１３３Ｆにフード部１３０Ｒの係止突起１３３Ｒが噛み合い、ナット部１３０Ｆはフード部１３０Ｒにボディ１１０の中心軸（ＣＡ）を中心として回転可能に連結される。連結されたフード部１３０Ｒとナット部１３０Ｆが自由状態にあるとき、これらは相対回転可能である。ナット部１３０Ｆの雌ネジ１３２がボディ１１０の雄ネジ１１３とネジ結合するので、ナット部１３０Ｆをボディ１１０に対して回転させれば、雄ネジ１１３と雌ネジ１３２の相互作用によりナット部１３０Ｆはネジ運動をして、回転しながらボディ１１０の長手方向に沿って移動できる。
【００３８】
例えば、ナット部１３０Ｆをボディ１１０の後端側に（固定フード１２０側に）移動させるためにナット部１３０Ｆを一方向に回転させると（以下、このときのナットの回転方向を「ナット締め方向」とする）、ネジ結合したボディ１１０の雄ネジ１１３とナット部１３０Ｆの雌ネジ１３２によって、ナット部１３０Ｆはボディ１１０を中心に回転しながらボディ１１０の後端側に移動する。このとき、ナット部１３０Ｆのリング状の後端面１３４Ｆがフード部１３０Ｒの係止突起１３３Ｒの後方に位置するリング状の接触面１３４Ｒに接触して、ナット部１３０Ｆがフード部１３０Ｒをボディ１１０の後端側に押すようになる。フード部１３０Ｒはナット部１３０Ｆの押す力によって、前方安着面１１２Ｆ上に安着しているリール３００の前方取付脚３１０Ｆをその上側内面でボディ１１０の前方安着面１１２Ｆに対し圧迫して、フード部１３０Ｒが前方取付脚３１０Ｆをボディ１１０に対して固定するようになる。また、ナット部１３０Ｆをボディ１１０の前端側に移動させるためにナット部１３０Ｆを上記一方向の反対方向に回転させると（以下、このときのナットの回転方向を「ナット緩め方向」とする）、ボディ１１０の雄ネジ１１３とナット部１３０Ｆの雌ネジ１３２によってナット部１３０Ｆはボディ１１０を中心に回転しながらボディ１１０の前端側に移動する。このとき、ナット部１３０Ｆの係止溝１３３Ｆのリング状の後端面１３５Ｆが係止突起１３３Ｒの後面１３５Ｒを引っ掛けるようになり、ナット部１３０Ｆの移動によってフード部１３０Ｒがボディ１１０の前端側に引っ張られるようになる。
【００３９】
前述したフード部１３０Ｒの前後方向の移動において、フード部１３０Ｒはボディ１１０の長手方向に沿ってボディ１１０の中心軸（ＣＡ）に対して回転することなくボディ１１０の前端または後端側に直線に移動する。フード部１３０Ｒの直線移動をガイドするために、可動フード１３０はフード部１３０Ｒの内周面に形成されボディ１１０の外周面に嵌められるガイド要素を備える。上記ガイド要素として、図１４〜図１７を参照すると、フード部１３０Ｒはその内周面に、ボディ１１０の一対の第１ガイド溝１１４Ｌ，１１４Ｒにそれぞれ嵌められる第１ガイド突起１３７Ｌ，１３７Ｒと、ボディ１１０の第２ガイド溝１１５に嵌められる第２ガイド突起１３８を備える。一対の第１ガイド突起１３７Ｌ，１３７Ｒはフード部１３０Ｒの中心軸（ＣＡ）の上側で互いに対向するように位置し、フード部１３０Ｒの内周面から突出する。第２ガイド突起１３８はフード部１３０Ｒの下端でフード部１３０Ｒの内周面から上方に突出する。
【００４０】
フード部１３０Ｒの上半部１３０ＲＵは後端へ行くほど上方にさらに突出して、前方取付脚３１０Ｆを覆うカバー部１３９を形成する。従って、カバー部１３９とボディ１１０の前方安着面１１２Ｆとの間にリール３００の前方取付脚３１０Ｆが挿入される前方挿入空洞１３６Ｆが限定される。フード部１３０Ｒはカバー部１３９の内面で前方取付脚３１０Ｆの先端部の斜面３１１Ｆを前方安着面１１２Ｆに対して圧迫する。また、図１３に示すように、フード部１３０Ｒの縦断面において、フード部１３０Ｒの下半部１３０ＲＬのカバー部１３９と対向する部分における縦方向の厚さ（Ｔ６）はカバー部１３９の縦方向の厚さより小さく、フード部１３０Ｒの後端へ行くほど減少する。
【００４１】
使用者の指が接触するようになるフード部１３０Ｒの下半部１３０ＲＬは下端及び後端へ行くほど減少する厚さを有する。従って、フード部１３０Ｒの下側外面とボディ１１０の下側外面との間の段差がほとんどない。また、フード部１３０Ｒはこのように段差をほとんど発生させないながらも、下半部１３０ＲＬの強度が保障されるように形成されている。図１４〜図１７を参照して、可動フード１３０のこのような特徴について説明する。
【００４２】
可動フード１３０のフード部１３０Ｒにおいて、リール３００の前方取付脚３１０Ｆを固定するための部分の反対側部分の厚さを薄くすれば、フード部１３０Ｒの下側外面とボディ１１０の下側外面との間の段差を減少させることができる。ナット部１３０Ｆをナット締め方向に回転させてフード部１３０Ｒをリール３００の前方取付脚３１０Ｆに対して押し付けると、リール３００の前方取付脚３１０Ｆからの反力によりフード部１３０Ｒに上向きの力が作用するようになり、この上向きの力はフード部１３０Ｒの円周方向にフード部１３０Ｒの下端まで伝播する。樹脂材料からなるフード部１３０Ｒの下半部１３０ＲＬにはフード部の射出成形において溶解樹脂の流れが合流して形成されるウエルドライン部（ｗｅｌｄ  ｌｉｎｅ）が存在するようになる。フード部１３０Ｒの下半部１３０ＲＬが薄い厚さになると、下半部１３０ＲＬの強度が低くなり得、前述したように上向きの力がフード部１３０Ｒに作用すれば、フード部１３０Ｒはその下半部１３０ＲＬで割れる可能性がある。しかし、実施例の可動フード１３０におけるフード部１３０Ｒは、段差除去のために下半部１３０ＲＬの厚さを薄くしながらも、フード部１３０Ｒにかかる上向きの力を分散させて強度を補強するように形成され、フード部１３０Ｒの最下端における縦方向の厚さ（Ｔ４）よりも厚い第２ガイド突起１３８にウエルドライン部を形成させて、割れを防ぐ。
【００４３】
図１４に示すリールシート１００の前方部分の横断面図を参照する。図１４は、フード部１３０Ｒの前端と後端との間に存在する、フード部１３０Ｒの長手方向（ボディ１１０の長手方向と同一の方向）における一部分の任意の横断面を示す。上記長手方向における一部分を横断面からみるとリング形状をとる。前述したように、可動フード１３０はフード部１３０Ｒの内周面に凸状の第１ガイド突起１３７Ｌ，１３７Ｒと第２ガイド突起１３８を有する。第１ガイド突起１３７Ｌ，１３７Ｒはフード部１３０Ｒの内周面で中心軸（ＣＡ）の上側で互いに対向するように位置し、第２ガイド突起１３８はフード部１３０Ｒの下端でフード部１３０Ｒの内周面に位置する。第１ガイド突起１３７Ｌ，１３７Ｒと第２ガイド突起１３８はそれぞれ第１ガイド溝１１４Ｌ，１１４Ｒと第２ガイド溝１１５に遊びを有するように嵌められる。従って、フード部１３０Ｒがリール３００の前方取付脚３１０Ｆを圧迫しながら押し上げられると、第１ガイド突起１３７Ｌ，１３７Ｒは第１ガイド溝１１４Ｌ，１１４Ｒの上面に接触するようになり、第２ガイド突起１３８は第２ガイド溝１１５の上面に接触する。
【００４４】
第１ガイド突起１３７Ｌ，１３７Ｒの縦方向の厚さ（Ｔ２）（図１４に示すフード部１３０Ｒの上記長手方向における一部分の横断面において、縦方向における第１ガイド突起１３７Ｌ，１３７Ｒの厚さ）は第２ガイド突起１３８の横方向の厚さ（Ｔ３）（図１４に示すフード部１３０Ｒの上記長手方向における一部分の横断面において、横方向における第２ガイド突起１３８の厚さ）より大きい。また、第２ガイド突起１３８の横方向の厚さ（Ｔ３）は、第２ガイド突起１３８が位置する下半部１３０ＲＬの最下端における縦方向の厚さ（Ｔ４）（図１４に示すフード部１３０Ｒの上記長手方向における一部分の横断面において、第２ガイド突起１３８が位置するフード部１３０Ｒの最下端における縦方向における厚さ）より大きい。即ち、第２ガイド突起１３８が位置するフード部１３０Ｒの最下端における縦方向の厚さ（Ｔ４）は第２ガイド突起１３８の横方向の厚さ（Ｔ３）より小さく、第２ガイド突起１３８の横方向の厚さ（Ｔ３）は第１ガイド突起１３７Ｌ，１３７Ｒの縦方向の厚さ（Ｔ２）より小さい。また、フード部１３０Ｒの上記長手方向における一部分の横断面において、上記長手方向における一部分のフード部（１３０Ｒ）の下半部１３０ＲＬの中心軸（ＣＡ）に対する半径方向における厚さ（Ｔ１）はカバー部１３９における厚さより小さい。また、フード部１３０Ｒの上記長手方向における一部分の横断面において、フード部１３０Ｒの上記長手方向における一部分の下半部（１３０ＲＬ）の中心軸（ＣＡ）に対する半径方向の厚さ（Ｔ１）は第１ガイド突起１３７Ｌ，１３７Ｒの下端からフード部１３０Ｒの最下端（第２ガイド突起１３８）へ行くほど次第に減少する。詳細には、フード部１３０Ｒの下半部１３０ＲＬの半径方向の厚さ（Ｔ１）は第１ガイド突起１３７Ｌ，１３７Ｒの下端でフード部１３０Ｒの円周方向（図１４で矢印（ＣＤ）参照）に沿って第２ガイド突起１３８側へ行くほど次第に減少する。また、上記長手方向における一部分の横断面において、第２ガイド突起１３８が位置するフード部１３０Ｒの最下端における縦方向の厚さ（Ｔ４）は第１ガイド突起１３７Ｌ，１３７Ｒの下端におけるフード部１３０Ｒの横方向の厚さ（Ｔ５）より小さい。一実施例において、図１４に示す上記長手方向における一部分の横断面において、フード部１３０Ｒの最下端における縦方向の厚さ（Ｔ４）は第１ガイド突起１３７Ｌ，１３７Ｒの下端におけるフード部１３０Ｒの縦方向の厚さ（Ｔ５）の３５％〜８０％である。フード部１３０Ｒの最下端における縦方向の厚さ（Ｔ４）が第１ガイド突起１３７Ｌ，１３７Ｒの下端におけるフード部１３０Ｒの横方向の厚さ（Ｔ５）の３５％未満になると、フード部の下半部１３０ＲＬの強度が不足して損傷しやすくなる。
【００４５】
前述したフード部１３０Ｒの各部分の厚さ（Ｔ１〜Ｔ５）は図１４に示すフード部１３０Ｒの上記長手方向における一部分の任意の横断面を参照して記述されている。フード部１３０Ｒの前端と後端の間において、前述した厚さ（Ｔ１〜Ｔ５）を有するフード部１３０Ｒの部分はフード部１３０Ｒの全長にわたって少なくとも一部またはほぼ全体となることができる。
【００４６】
図１４〜図１７を参照して、フード部１３０Ｒが前方取付脚３１０Ｆを固定するときフード部１３０Ｒに加えられる上向きの力が分散する例を説明する。図１６はフード部１３０Ｒの後端で取ったリールシート１００の横断面である。
【００４７】
リール３００をリールシート１００に取り付けるときは、まず、リール３００の後方取付脚３１０Ｒを後方挿入空洞１２１Ｒに嵌めて後方取付脚３１０Ｒの下面を後方安着面１１２Ｒ上に安着させる。後方取付脚３１０Ｒを安着させるのと同時にまたはその後に、リール３００の前方取付脚３１０Ｆを前方安着面１１２Ｆ上に安着させる。
【００４８】
リール３００の前方取付脚３１０Ｆが前方安着面１１２Ｆに安着した状態で、可動フード１３０のナット部１３０Ｆをナット締め方向にボディ１１０に対して回転させると、ナット部１３０Ｆはボディ１１０の雄ネジ１１３とナット部１３０Ｆの雌ネジ１３２との間の相互作用によってボディ１１０の後端側にネジ運動しながら、フード部１３０Ｒをボディ１１０の後端側に押すようになる。すると、フード部１３０Ｒのカバー部１３９の内面と前方取付脚３１０Ｆの先端部の斜面３１１Ｆが接触する。前方取付脚３１０Ｆの斜面３１１Ｆが先端に傾いているので、前方取付脚３１０Ｆの先端部がくさびとして作用する。従って、フード部１３０Ｒはナット部１３０Ｆの押し付ける力によって斜面３１１Ｆに乗り上方に押し上げられる。フード部１３０Ｒが上方に押し上げられると、第１ガイド突起１３７Ｌ，１３７Ｒの上面が第１ガイド溝１１４Ｌ，１１４Ｒの上面と接触するようになる。ナット部１３０Ｆをナット締め方向に継続して回転させると、ナット部１３０Ｆが加える押し付ける力がカバー部１３９を介して斜面３１１Ｆに加えられ、くさびとして作用する前方取付脚３１０Ｆの先端部は反作用としてフード部１３０Ｒのカバー部１３９を介してフード部１３０Ｒに上向きの力を加える。フード部１３０Ｒに加えられる上記上向きの力はフード部１３０Ｒの円周方向にわたって作用するようになる。これに伴い、第１ガイド溝１１４Ｌ，１１４Ｒの上面に密着した第１ガイド突起１３７Ｌ，１３７Ｒに負荷がかかるようになる。
【００４９】
第１ガイド突起１３７Ｌ，１３７Ｒに負荷がかかった状態でナット部１３０Ｆをナット締め方向にさらに回転させると、フード部１３０Ｒはさらに押し上げられながらフード部１３０Ｒに加えられる上記上向きの力がさらに強くなる。すると、フード部１３０Ｒが撓みながらフード部１３０Ｒの下端に位置する第２ガイド突起１３８が第２ガイド溝１１５に密着して、第２ガイド突起１３８に負荷がかかるようになる。
【００５０】
このように、ナット部１３０Ｆがフード部１３０Ｒを前方取付脚３１０Ｆに押し付ける過程で前方取付脚３１０Ｆがフード部１３０Ｒに加える上向きの力は、第１ガイド突起１３７Ｌ，１３７Ｒが第１ガイド溝１１４Ｌ，１１４Ｒに密着し第２ガイド突起１３８が第２ガイド溝１１５に密着して、これらに負荷がかかるようになるので、フード部１３０Ｒに加えられる上向きの力を３ケ所（左側の第１ガイド突起１３７Ｌ、右側の第１ガイド突起１３７Ｒ及び下側の第２ガイド突起１３８）における負荷掛けにより分散させる。
【００５１】
第１ガイド突起１３７Ｌ，１３７Ｒと第２ガイド突起１３８に負荷がかかった状態でナット部１３０Ｆをナット締め方向にさらに回転させると、フード部１３０Ｒに加えられる上向きの力がさらに大きくなり、フード部１３０Ｒの下半部１３０ＲＬの厚さが減少する部分（フード部１３０Ｒの上記長手方向における一部分の横断面において、第１ガイド突起１３７Ｌ，１３７Ｒから第２ガイド突起１３８側に行くほど厚さが減少する部分）が撓むようになる。このような撓みに伴って、下半部１３０ＲＬの一部または全体がボディ１１０の外周面と接触するようになる。すると、３ケ所の負荷掛けによって分散した上向きの力は下半部１３０ＲＬとボディ１１０を通じてさらに分散するのみならず、下半部１３０ＲＬとボディ１１０との間の間隙もなくなって、下半部１３０ＲＬの外面とボディ１１０の外面との間の段差はさらに減少する。従って、可動フード１３０Ｒがリール３００の前方取付脚３１０Ｆをボディ１１０に固定すると、フード部１３０Ｒの下半部１３０ＲＬの外面とボディ１１０の外面との間の段差がなくなって、リールシート１００は使用者に良好なグリップ感を提供できる。また、可動フード１３０Ｒがリール３００の前方取付脚３１０Ｆをボディ１１０に固定すると、前述したようにフード部１３０Ｒの下半部１３０ＲＬが撓むようになって、これに伴い発生するフード部１３０Ｒの弾性により、可動フード１３０のフード部１３０Ｒは前方取付脚３１０Ｆをゆるみやガタツキなしにボディ１１０の前方安着面１１２Ｆに固定できる。
【００５２】
前述した例において、フード部１３０Ｒに加えられる上向きの力により第１ガイド突起１３７Ｌ，１３７Ｒに最初に負荷がかかり（図１５における矢印（Ｌ１）参照）、その次に第２ガイド突起１３８に負荷がかかり（図１５における矢印（Ｌ２）参照）、フード部１３０Ｒの下半部１３０ＲＬにその次に負荷がかかる（図１５における矢印（Ｌ３）参照）。また、このような負荷の大きさは、第１ガイド突起１３７Ｌ，１３７Ｒで最も大きく、第２ガイド突起１３８がその次であり、フード部１３０Ｒの下半部１３０ＲＬの厚さが薄くなる部分がその次となる。
【００５３】
前述したように、フード部１３０Ｒの上記長手方向における一部分の横断面において、フード部１３０Ｒの下半部１３０ＲＬの半径方向における厚さ（Ｔ１）はフード部１３０Ｒの最下端へ行くほど減少してフード部１３０Ｒの最下端における縦方向の厚さが最も小さい。また、フード部１３０Ｒの縦断面において、フード部１３０Ｒの下半部１３０ＲＬの縦方向の厚さ（Ｔ６）はフード部１３０Ｒの後端へ行くほど減少する。しかし、フード部１３０Ｒはナット部１３０Ｆを締めることによって前方取付脚３１０Ｆから加えられる上向きの力を３ケ所（第１ガイド突起１３７Ｌ，１３７Ｒ及び第２ガイド突起１３８）で負荷がかかるようにすることによって分散させるので、フード部１３０Ｒの下端の最も厚さが薄い部分及びウェルドライン部が補強できる。このように、可動フード１３０のフード部１３０Ｒは下端及び後端へ行くほど減少する厚さを有しながらも向上した強度を持つと同時に、薄型の形状による軽量化およびボディ１１０との段差軽減を達成することができる。また、フード部１３０Ｒの３ケ所で負荷がかかる状況でナット部１３０Ｆをナット締め方向にさらに回転させると、フード部１３０Ｒの下半部１３０ＲＬがさらに撓むようになり、下半部１３０ＲＬはその一部または全体でリールシート１００のボディ１１０に接触するようになる。従って、フード部１３０Ｒは上向きの力をさらに分散しながら、ボディ１１０に対する間隙と段差をさらに減少させることができて、グリップ感が良好なリールシート１００を実現できる。また、前述したフード部１３０Ｒの下半部１３０ＲＬの撓みに伴う弾性により、フード部１３０Ｒはゆるみやガタツキなしにリール３００の前方取付脚３１０Ｆをボディ１１０に固定できる。
【００５４】
以上で説明した本発明は前述した実施例及び添付の図面により限定されるわけではない。本発明の技術的思想を逸脱しない範囲内で様々な置換、変形及び変更が可能であるということが本発明の属する技術分野で通常の知識を有する者にとって明白である。
【符号の説明】
【００５５】
１００  リールシート、１１０  リールシートのボディ、１１２Ｆ  前方安着面、１１２Ｒ  後方安着面、１１３  雄ネジ、１１４Ｌ，１１４Ｒ  第１ガイド溝、１１５  第２ガイド溝、１１６  レバー、１１７  上側リセス、１１９  下側リセス、１２０  固定フード、１２１Ｒ  前方挿入空洞、１２２  カバー部、１３０  可動フード、１３０Ｆ  ナット部、１３０Ｒ  フード部、１３０ＲＵ  フード部の上半部、１３０ＲＬ  フード部の下半部、１３２  雌ネジ、１３３Ｆ  係止溝、１３３Ｒ  係止突起、１３６Ｆ  後方挿入空洞、１３７Ｌ，１３７Ｒ  第１ガイド突起、１３８  第２ガイド突起、１３９  カバー部、２００  釣竿、２１０  釣竿のブランク、３００  リール、３１０  リールの取付脚、３１０Ｆ  前方取付脚、３１０Ｒ  後方取付脚、３１１Ｆ  前方取付脚の斜面、３１１Ｒ  後方取付脚の斜面。
【図１】
0005919442.tif 000002
【図２Ａ】
0005919442.tif 000003
【図２Ｂ】
0005919442.tif 000004
【図３】
0005919442.tif 000005
【図４】
0005919442.tif 000006
【図５】
0005919442.tif 000007
【図６】
0005919442.tif 000008
【図７】
0005919442.tif 000009
【図８】
0005919442.tif 000010
【図９】
0005919442.tif 000011
【図１０】
0005919442.tif 000012
【図１１】
0005919442.tif 000013
【図１２】
0005919442.tif 000014
【図１３】
0005919442.tif 000015
【図１４】
0005919442.tif 000016
【図１５】
0005919442.tif 000017
【図１６】
0005919442.tif 000018
【図１７】
0005919442.tif 000019